(57)【要約】腕時計（１３）はコード化緊急信号のための緊急呼出発信器を収容するハウジング（１９）を背後に装備する。発信器ハウジング（１９）にエネルギー源を備えるため、又は緊急呼出の事態が予想されない場合のために、腕時計（１３）に常法により裏蓋（１７）を装着することができる。
2004514119.tif 000002
【特許請求の範囲】
【請求項１】
ハウジング（１９、１９．１、１９．２、１９．３、１９．４）が、腕時計（１３）のケース（１２、１２．１、１２．２、１２．３、１２．４）の背面（２２）に挿着され、フランジ系（１６、１６．１、１８．１、１８．２、１８．３、３２、３３、３４、３５、３６、３７、３８）により固定される裏蓋（１７）のように形成されていることを特徴とする緊急呼出発信器（２５）のためのハウジング（１９、１９．１、１９．２、１９．３、１９．４）。
【請求項２】
フランジ系がねじ山構造（１８．２、１６；１８．３、１６．１；３５、３６）であることを特徴とする請求項１に記載の緊急呼出発信器のためのハウジング。
【請求項３】
ねじ山構造が時計ケース（１２、１２．１）の背面（２２）に成形された雌ねじ（１６、１６．１）及びハウジング（１９、１９．１）に成形された雄ねじ（１８．２、１８．３）からなることを特徴とする請求項２に記載のハウジング。
【請求項４】
ねじ山構造が時計ケース（１２．３）の背面（２２）に成形された単数個の雌ねじ又は時計ケース（１２．３）の背面（２２）に成形された複数個の雌ねじ（３５）からなり、これにハウジング（１９．３）のための止ねじ（３６）がそれぞれ挿着されることを特徴とする請求項２に記載のハウジング。
【請求項５】
フランジ系がプレスばめ構造（３３、３４）であることを特徴とする請求項１に記載のハウジング。
【請求項６】
フランジ系が差込み継手構造（３７、３８、３９）であることを特徴とする請求項１に記載のハウジング。
【請求項７】
緊急呼出発信器（２５）のアンテナ線（２７）の引き出しのための装置が設けられていることを特徴とする上記請求項のいずれか１つに記載のハウジング。
【請求項８】
上記請求項のいずれか１つに記載のハウジング（１９、１９．１、１９．２、１９．３、１９．４）を有する腕時計（１３）。
【請求項９】
請求項１ないし７のいずれか１つに記載のハウジング（１９、１９．１、１９．２、１９．３、１９．４）を有する緊急呼出発信器（２５）。
【発明の詳細な説明】
【０００１】
本発明は請求項１の上位概念に基づく緊急呼出発信器のためのハウジングに関する。
【０００２】
研究が明らかにしたところでは、飛行機墜落の負傷者の約９０％がその後の６時間生存している。２日後に生き残りのチャンスは１０％に過ぎない。同様な数字が航海にも当てはまる。この認識に基づき緊急時に１２１．５ＭＨｚ又は２４３ＭＨｚ帯の位置決定信号を送出するいわゆるＥＬＴ（Ｅｍｅｒｇｅｎｃｙ Ｌｏｃａｔｏｒ Ｔｒａｎｓｍｉｔｔｅｒ［緊急位置発信器］）がすでに数年来航空に採用されている。これは比較的大出力の、それに伴って寸法が大きいため航空機に固設された装置である。
【０００３】
１９７９年に米国、ソ連、カナダ及びフランスは緊急呼出発信器のための衛星援用位置決定システムを開発し、いわゆるＣＯＳＰＡＳ−ＳＡＲＳＡＴシステム（ＣＯＳＰＡＳ＝「遭難船捜索のための宇宙システム」のロシア語−ＳＡＲＳＡＴ＝“Ｓｅａｒｃｈ ａｎｄ Ｒａｓｃｕｅ Ｓａｔｅｌｌｉｔｅ Ａｉｄｅｄ Ｔｒａｃｋｉｎｇ”［捜索救助衛星援用追跡］）を運用することを決定した。
【０００４】
その間にＣＯＳＰＡＳ−ＳＡＲＳＡＴは、緊急呼出発信器の位置決定のための全世界平面包括監視が救助を大幅に速めることを実証した。そのために高度約８００−１０００ｋｍの極軌道の低軌道衛星、いわゆるＬＥＯＳＡＲ衛星（ＬＥＯＳＡＲ＝“Ｌｏｗ Ｅａｒｔｈ Ｏｒｂｉｔ Ｓｅａｒｃｈ ａｎｄ Ｒｅｓｃｕｅ”［低地球軌道捜索救助］）が使用された。
【０００５】
ＣＯＳＰＡＳ−ＳＡＲＳＡＴは１９９６年に６個の衛星を使用した。それによって約４５−５０分後に地球の各点の上空を通過することが保証された。位置決定は「ドップラー効果」を利用して行われる。しかしその場合システムに原因する誤差が生じた。
【０００６】
衛星の上空通過のために赤道では約４５分の待機時間、ヨーロッパの緯度では約２５−３０分の待機時間が必要であったから、上記のＬＥＯＳＡＲ衛星で数分以内に警報を出すことはたいていの場合不可能であった。
【０００７】
２つの欠点を取り除くために、１９９６／９７年にＣＯＳＰＡＳ−ＳＡＲＳＡＴシステムは下記の範囲で拡張された。
【０００８】
１：今後は赤道上約３６０００ｋｍの高度の３個の静止衛星、いわゆるＧＥＯＳＡＲ衛星（ＧＥＯＳＡＲ＝“Ｇｅｏｓｔａｔｉｏｎａｒｙ Ｓｅａｒｃｈ ａｎｄ Ｒｅｓｃｕｅ”［静止捜索救助］）が即時警報を保証する。これらの衛星は極冠だけを除き、地球表面の８０％以上をカバーする。
【０００９】
２：さらに正確な位置座標伝送が導入された（例えばＧＰＳ＝“Ｇｌｏｂａｌ Ｐｏｓｉｔｉｏｎｉｎｇ Ｓｙｓｔｅｍ”［グローバル位置決定システム］による）。個人緊急発信器コードとともに４０６ＭＨｚ帯で伝送される。
【００１０】
１９９６／９７年のテスト段階でＧＥＯＳＡＲシステムは９５％以上の場合に数分の警報時間を実証した。
【００１１】
ＣＯＳＰＡＳ−ＳＡＲＳＡＴシステムのための緊急呼出発信器は、一方では各航空機又は船舶に固設される装置として、又は携帯式手持ち装置として市販されている。このようなシステムの欠点は、従来得られた装置がその堅牢性と電池寿命に関連して寸法が比較的大きく、このため前述の用途にしか適さないことである。
【００１２】
そこで発明の課題は、汎用可能であり、各人が常時着持することができる緊急呼出発信器を提示することである。
【００１３】
この課題は本発明に基づき請求項１の特徴部分の特徴を有する緊急呼出発信器によって解決される。発明の有利な構成と改良が従属請求項に示されている。
【００１４】
本発明の基本思想は、在来の腕時計の裏蓋のように形成されたハウジングに元来公知の種類の緊急呼出発信器を内蔵することにある。通常存在する、腕時計のケースの背面に挿着可能な裏蓋の代わりに、このハウジングを挿着するのである。従ってハウジングは市販の腕時計にあるフランジ系のように形成された固定装置を備えさえすればよい。
【００１５】
このようにして任意の個人に緊急呼出発信器を割当てることが可能であり、発信器を衣服等に入れて携行する必要はない。また緊急呼出発信器のない腕時計そのものを携帯することが可能である。この場合は発信器ハウジングが時計ケースの背面から簡単に取外され、裏蓋と交換される。これは特に緊急事態が予想されない場合や、新しいエネルギー源（電池）によって発信器が再び機能可能状態になるまでの期間に有意義である。
【００１６】
最も簡単には在来のねじ付き裏蓋を有する腕時計ケースを使用し、発信器ハウジングを適当なねじ継手により裏蓋の代わりに時計ケースの背面の雌ねじにねじ込むことによって実現される。代案として、とりわけ下記の図で詳しく示す後述の実施例が考えられる。
【００１７】
緊急呼出発信器は携帯者を個別化するコード化緊急呼出信号を放射することが好ましい。この信号はとりわけ商業衛星緊急呼出ステムによって受信され、場合によっては中継局が位置データを補充して緊急呼出センターに伝送することができる。衛星コンタクトが予想される時間的及び場所的条件にエネルギー消費を限定するために、即ち緊急呼出発信器の利用可能な使用時間を大幅に延長するために、発明の別の実施形態によれば発信器ハウジングは例えばアンテナ線の引き出しとともに作動される操作スイッチのほかに、発信器操作に対する手動式遮断スイッチを装備する。
【００１８】
発明の代案及び別の実施形態並びにその他の特徴及び利点は、主要部分に限定して大幅に抽象化し、寸法に従わずに図示した本発明の解決策の好ましい実施例の下記の説明で明らかである。
【００１９】
図面の図１は背面のねじ付き裏蓋１７を取り外した腕時計１３のケース１２の側面図を示す。ねじ付き裏蓋１７は本発明に基づき発信器ハウジング１９と交換することができる。
【００２０】
竜頭１１が見える側面図で図示した腕時計１３のケース１２は、例えばクロノグラフ表示を備えた古典的なパイロットウォッチのように、時計ガラス１４の下に少なくとも１個の時刻表示を装備する。時計ガラス１４の反対側に雌ねじ１６を備えた同心の開口部１５があり、周知のように軸方向に張り出す雄ねじ１８．１を備えたおおむね偏平円筒形の裏蓋１７を開口部１５にねじ込むことができる。
【００２１】
腕時計１３はこの裏蓋１７の代わりに、なべ状のハウジング１９を装備することもできる。ハウジング１９は軸方向に張り出す短い環状の同様な雄ねじ１８．２を有する。ハウジング１９は自由な端面２０の軸方向反対側に、裏蓋１７と同様に雄ねじ１８の半径を越えて張り出す円周状フランジ２１を装備する。時計ケース１２の背面２２に取付けると、フランジ２１は、比較的高いハウジング１９から、時計ケース１２の横にアーチ状に接続する、ここに図示しない腕時計バンドの両半分の枢着のためのくちばし状突起２３への、着用に好適な、段差のない接合部を生じる。
【００２２】
時計ケース１２の中の時計回路の操作に関係なく緊急呼出発信器２５に給電するためのエネルギー源２４と、当初は巻き取られているアンテナ線２７のための巻戻し装置２６が、なべ状のハウジング１９の内部に配設されている。アンテナ線２７は引き出しつまみ２８によりハウジング１９から手動的に引き出される。そのために引き出しつまみ２８は後ろ側からつかみやすいように切欠部２９から幾らか張り出している。切欠部２９は竜頭１１の下側でくちばし状突起２３−２３の配置方向を横切って緊急呼出発信器２５のハウジング１９に配置することが好ましい。
【００２３】
発信器を接続するため、即ちアンテナ線２７を介して緊急信号を発信するために、アンテナ線２７の手動引き出しとともに簡単な遠心力又はてこ運動により操作スイッチ３０が投入される。緊急信号はこの発信器１３及びこれを装備する腕時計１３の携帯者を個別化する識別信号を含む。中継局としての商業衛星緊急呼出システムＣＯＳＰＡＳ−ＳＡＲＳＡＴによって受信され、位置データと組合わせて救助センターに転送することができるように、緊急呼出発信器２５の搬送周波数は４０６ＭＨｚ帯にあることが好ましい。
【００２４】
さらに例えば地形的又は時間的条件により瞬時的に衛星コンタクトが期待されないときに、緊急呼出発信器２５を一時的に手動切断するため、又は脅迫の事態で自分の現在地を明かさないために、ハウジング１９は手動操作式遮断スイッチ３１を装備することができる。この遮断スイッチ３１は操作用主スイッチ３０と直列接続された簡単な押しボタンスイッチであって、意図せぬ操作を防止するために、図示のようにアンテナ引き出しつまみと食い違いに、とりわけくちばし状突起２３の下側にハウジング１９の外面から引っ込めて設けられ、尖った物で操作することができる。
【００２５】
ハウジング１９に新しいエネルギー源を装着する場合又は緊急呼出の事態が予想されない場合は、常法により腕時計１３に裏蓋１７を装備して着用することができる。
【００２６】
図２は前述のようにねじ山構造を設けた本発明のハウジング１９．１を示す。ここに提示する図は、市販の腕時計にある裏蓋の代わりにハウジング１９．１を使用した状態を示す。ここで説明する実施例では、腕時計にいわゆるねじ付き裏蓋がある。このねじ付き裏蓋は時計ケース１２．１にある雌ねじ１６．１に整合する雄ねじを外周に備えている。市販の腕時計にあるねじ付き裏蓋の代わりに緊急呼出発信器用のハウジング１９．１を使用するために、本発明に基づきハウジング１９．１は裏蓋のねじ山と同様に形成された雄ねじ１８．３を有する。通常、時計ケース１２．１とハウジング１９．１の接触面のシールリング１０．１によって、さらに汚れ、湿気等に対する密封が行われる。
【００２７】
図３は本発明に基づくハウジング１９．２の第２の実施例を示す。この場合は正確に嵌合する接触面だけで時計ケースに保持されるいわゆる圧入裏蓋が市販の腕時計の構成部分であるとする。図では時計ケース１２．２のプレスエッジ３３に適当に整合する緊急呼出発信器のハウジング１９．２のプレスエッジ３４のプレスばめ構造が示されている。これによってハウジング１９．２が時計ケース１２．２に固定される。本実施例ではハウジング１９．２のとりわけ円筒形のプレスエッジ３４の端面は、この場合円周状に形成された半径方向外向きのロッキング突子３２を有する。ロッキング突子３２はこの場合同じく円周状に形成された適当な切欠部４０に係合する。やはり汚れや湿気の侵入を阻止するためにシールリング１０．２が設けられている。シールリング１０．２は時計ケース１２．２及び緊急呼出発信器のハウジング１９．２の当該の接触面の間に配置されている。
【００２８】
図４は本発明に基づくハウジング１９．３の第３の実施例を示す。本例では時計ケース１２．３への固定はねじ継手によって行われる。この場合市販の腕時計の時計ケース１２．３の背面のとりわけ円環形の端面にねじ穴３５が設けられ、ここに裏蓋の固定のための適当なねじをねじ込むことができる。従ってこの場合はハウジング１９．３の固定も同様なねじ３６によって行われる。この場合も上記の説明と同様にシールリング１０．３が設けられる。
【００２９】
図５は第４の実施例として元来公知の種類の端面側差込み継手を有する本発明のハウジング１９．４を示す。この場合はハウジング１９．４の適当なロッキング突子３７が時計ケース１２．４の背面の切欠部に、又は時計ケース１２．４のロッキング突子３８がハウジング１９．４の対応する切欠部に係合する。この場合も上記で詳しく説明したシールリング１０．４が設けられている。
【図面の簡単な説明】
【図１】
在来の市販の腕時計の裏蓋の交換部品としての緊急呼出発信器用の本発明に基づくハウジングの第１実施例の横断面分解図である。
【図２】
第１実施例に基づく本発明のハウジング−ねじ付き裏蓋式フランジ系−の横断面図である。
【図３】
本発明に基づくハウジングの第２実施例−圧入式フランジ系−の横断面図である。
【図４】
本発明に基づくハウジングの第３実施例−ねじ止め裏蓋式のフランジ系−の横断面図である。
【図５】
本発明に基づくハウジングの第４実施例−差込み継手式フランジ系−の横断面図である。
【符号の説明】
１０．１、１０．２、１０．３、１０．４　　　　シールリング
１１　　　　　　　　　　　　　　　　　　　　　竜頭
１２、１２．１、１２．２、１２．３、１２．４　時計ケース
１３　　　　　　　　　　　　　　　　　　　　　腕時計
１４　　　　　　　　　　　　　　　　　　　　　時計ガラス
１５　　　　　　　　　　　　　　　　　　　　　開口部
１６、１６．１　　　　　　　　　　　　　　　　雌ねじ
１７　　　　　　　　　　　　　　　　　　　　　裏蓋
１８．１、１８．２、１８．３　　　　　　　　　雄ねじ
１９、１９．１、１９．２、１９．３、１９．４　ハウジング
２０　　　　　　　　　　　　　　　　　　　　　正面端
２１　　　　　　　　　　　　　　　　　　　　　フランジ
２２　　　　　　　　　　　　　　　　　　　　　背面
２３　　　　　　　　　　　　　　　　　　　　　くちばし状突起
２４　　　　　　　　　　　　　　　　　　　　　エネルギー源
２５　　　　　　　　　　　　　　　　　　　　　緊急呼出発信器
２６　　　　　　　　　　　　　　　　　　　　　巻戻し装置
２７　　　　　　　　　　　　　　　　　　　　　アンテナ線
２８　　　　　　　　　　　　　　　　　　　　　引き出しつまみ
２９　　　　　　　　　　　　　　　　　　　　　切欠部
３０　　　　　　　　　　　　　　　　　　　　　操作スイッチ
３１　　　　　　　　　　　　　　　　　　　　　遮断スイッチ
３２　　　　　　　　　　　　　　　　　　　　　ロッキング突子
３３　　　　　　　　　　　　　　　　　　　　　圧入エッジ
３４　　　　　　　　　　　　　　　　　　　　　圧入エッジ
３５　　　　　　　　　　　　　　　　　　　　　雌ねじ
３６　　　　　　　　　　　　　　　　　　　　　ねじ
３７　　　　　　　　　　　　　　　　　　　　　ロッキング突子
３８　　　　　　　　　　　　　　　　　　　　　ロッキング突子
３９　　　　　　　　　　　　　　　　　　　　　差込み継手
４０　　　　　　　　　　　　　　　　　　　　　切欠部
【国際公開パンフレット】
2004514119.tif 000003
2004514119.tif 000004
2004514119.tif 000005
2004514119.tif 000006
2004514119.tif 000007
2004514119.tif 000008
2004514119.tif 000009
2004514119.tif 000010
2004514119.tif 000011
2004514119.tif 000012
2004514119.tif 000013
2004514119.tif 000014
2004514119.tif 000015
2004514119.tif 000016
2004514119.tif 000017
2004514119.tif 000018
【国際公開パンフレット（コレクトバージョン）】
2004514119.tif 000019
2004514119.tif 000020
【手続補正書】
【提出日】平成15年2月6日(2003.2.6)
【手続補正１】
【補正対象書類名】明細書
【補正対象項目名】特許請求の範囲
【補正方法】変更
【補正の内容】
【特許請求の範囲】
【請求項１】
腕時計（１３）のケース（１２、１２．１、１２．２、１２．３、１２．４）の背面（２２）に挿着され、フランジ系（１６、１６．１、１８．１、１８．２、１８．３、３２、３３、３４、３５、３６、３７、３８）により固定される裏蓋（１７）のように形成されたハウジング（１９、１９．１、１９．２、１９．３、１９．４）を有する緊急呼出発信器（２５）において、フランジ系が時計ケース（１２、１２．１）の背面（２２）に成形された雌ねじ（１６、１６．１）及びハウジング（１９、１９．１）に成形された雄ねじ（１８．２、１８．３）からなるねじ山構造であることを特徴とする緊急呼出発信器。
【請求項２】
フランジ系が、時計ケース（１２．３）の背面（２２）に成形され、ハウジング（１９．３）のための止ねじが挿着される単数個又は複数個の雌ねじ（３５）からなるねじ山構造であることを特徴とする請求項１の上位概念に基づく緊急呼出発信器（２５）。
【請求項３】
フランジ系がプレスばめ構造（３３、３４）であることを特徴とする請求項１の上位概念に基づく緊急呼出発信器（２５）。
【請求項４】
フランジ系が差込み継手構造（３７、３８、３９）であることを特徴とする請求項１の上位概念に基づく緊急呼出発信器（２５）。
【請求項５】
緊急呼出発信器（２５）のアンテナ線（２７）の引き出しのための装置（２６）が設けられていることを特徴とする上記請求項のいずれか１つに記載の緊急呼出発信器（２５）。
【請求項６】
上記請求項のいずれか１つに記載の緊急呼出発信器（２５）を有する腕時計（１３）。
【国際調査報告】
2004514119.tif 000021
2004514119.tif 000022
2004514119.tif 000023
2004514119.tif 000024
2004514119.tif 000025
2004514119.tif 000026